(57)【要約】【課題】複数の略正五角形プレート（１１）と略正六角形プレート（１２）を仮想の球表面に沿って配列することにより、ハニカム模様の外表面を有する球殻状に構成した球状構造体に於いて、部品点数が少なく、且つ、容易に組み立てられる球状構造体を提供すること。【解決手段】前記夫々の略正五角形プレート（１１）と該略プレートの隣り合う二辺に夫々接合される２枚の略正六角形プレート（１２）（１２）とから成る３枚のプレートの境界部近傍が連結機構によって結合されており、前記連結機構は、略正五角形プレート（１１）における前記境界部に対応するコーナ部から外側に張り出した座板（２５）に対して、略正六角形プレート（１２）のコーナ部を重ねた状態で固定ビス（１６）によって固定すること。【選択図】　　図１
2004093659.tif 000002
【特許請求の範囲】
【請求項１】
複数の略正五角形プレートと略正六角形プレートを仮想の球表面に沿って配列することにより、ハニカム模様の外表面を有する球殻状に構成したものであって、
前記配列するパターンは、前記略正五角形プレートの各辺に略正六角形プレートの一辺が夫々接合さると共に、前記略正六角形プレートの各辺には該プレートの外周に沿って交互に並ぶ略五角形プレートと略正六角形プレートの各辺が夫々接合されるパターンである、球状構造体に於いて、
前記夫々の略正五角形プレートと該略プレートの隣り合う二辺に夫々接合される２枚の略正六角形プレートとから成る３枚のプレートの境界部近傍が連結機構によって結合されており、
前記連結機構は、
略正五角形プレートにおける前記境界部に対応するコーナ部から外側に張り出した座板と、
前記座板に対して前記外表面側から重ねられる２枚の略正六角形プレート相互の境界部から前記座板に螺入される固定ビスとから構成され、
前記２枚の略正六角形プレートの夫々が前記螺入された固定ビスの頭部と前記座板で挟まれる、球状構造体。
【請求項２】
請求項１に記載の球状構造体に於いて、
前記各略正六角形プレートの各コーナ部の外側には、前記固定ビスの軸部に係合した状態で該固定ビスの頭部の裏側に侵入状態になるフック部が張り出している、球状構造体。
【請求項３】
複数の略正五角形プレートと略正六角形プレートを仮想の球表面に沿って配列することにより、ハニカム模様の外表面を有する球殻状に構成したものであって、
前記配列するパターンは、前記略正五角形プレートの各辺に略正六角形プレートの一辺が夫々接合さると共に、前記略正六角形プレートの各辺には該プレートの外周に沿って交互に並ぶ略五角形プレートと略正六角形プレートの各辺が夫々接合されるパターンである、球状構造体に於いて、
前記夫々の略正五角形プレートの外周の各コーナ部から外側に張り出した座板と、
前記夫々の略正六角形プレートの外周の１２０度間隔で位置する３つのコーナ部から外側に張り出し且つ前記座板に重ね合わされる結合片と、
前記座板とこれに重ね合わされた前記結合片を相互に固定する固定ビスとを具備する、球状構造体。
【請求項４】
請求項１から３の何れかに記載の球状構造体に於いて、
前記略正五角形プレートとこれに隣接する略正六角形プレートの接触部又は、互に隣接する略正六角形プレート相互の接触部には、これら隣接するプレートの相対位置を適正に位置決めする為に嵌合する凹部と凸部が形成されている、球状構造体。
【請求項５】
請求項１から４の何れかに記載の球状構造体に於いて、
前記略正五角形プレートの外周には、前記略正六角形プレートの外周に対して裏面側から当接する支持フランジが突出している、球状構造体。
【請求項６】
請求項１から５の何れかに記載の球状構造体に於いて、
前記各略正五角形プレート又は各略正六角形プレートの少なくとも１枚は透明であり、
前記透明の略正五角形プレート又は略正六角形プレートの裏面に図形，文字等の表示が施される、球状構造体。
【請求項７】
請求項６に記載の球状構造体に於いて、
裏面に前記表示が施される前記透明の略正五角形プレート又は略正六角形プレートは、前記表示が施される面が平面に形成され、該平面に対応する外表面が外側に凸となった球面に形成されている、球状構造体。
【発明の詳細な説明】
【０００１】
【発明の属する技術分野】
本発明は、広告媒体や販促品等に用いられるサッカーボール状の球状構造体に関するものである。
【０００２】
【従来の技術】
この種の球状構造体は、図１１，１２に示すように、１２枚の略正五角形プレート（１１）と２０枚の略正六角形プレート（１２）を仮想の球表面に沿ってハニカム模様状の配列パターンに設けたものである。このため、各略正五角形プレート（１１）の各辺には、これらに隣接する略正六角形プレート（１２）の一辺が平行に接合されていると共に、略正五角形プレート（１１）と略正六角形プレート（１２）の各コーナの集合位置（１４）の裏面には裏板（１５）が当接されている。そして、該裏板（１５）には、各プレート（１１）（１２）を表裏に貫通する固定ビス（１６）（１６）が螺入されている。
【０００３】
このものでは、１２枚の略正五角形プレート（１１）（１１）と２０枚の略正六角形プレート（１２）（１２）を上記ハニカム模様に連結すると、サッカーボール状の球状構造体が構成される。そして、該球状構造体の表面に適宜広告を表示すると、広告媒体として使用できる。又、販促品やその他種々の用途に使用することもできる。
【０００４】
【発明が解決しようとする課題】
しかしながら、上記従来のものでは、１枚の略正五角形プレート（１１）とこれに隣接する２枚の略正六角形プレート（１２）（１２）のコーナ部が集合する一つの集合位置（１４）に対して、これら夫々のプレート（１１）（１２）（１２）に各別に対応する三本の固定ビス（１６）（１６）を配設する必要があるだけでなく、更に上記集合位置（１４）に裏板（１５）を配設する必要があることから、多数の固定ビス（１６）（１６）や裏板（１５）が必要となって部品点数を少なくすることができないという問題があった。
又、多数の固定ビス（１６）（１６）を締め付ける作業が必要となって組み立て作業に手間がかかるという問題もあった。
【０００５】
本発明は係る点に鑑みて成されたもので、
『複数の略正五角形プレートと略正六角形プレートを仮想の球表面に沿って配列することにより、ハニカム模様の外表面を有する球殻状に構成したものであって、
前記配列するパターンは、前記略正五角形プレートの各辺に略正六角形プレートの一辺が夫々接合さると共に、前記略正六角形プレートの各辺には該プレートの外周に沿って交互に並ぶ略五角形プレートと略正六角形プレートの各辺が夫々接合されるパターンである、球状構造体』に於いて、既述従来のものに比べて部品点数が少なく、且つ、容易に組み立てられる球状構造体を提供することを課題とする。
【０００６】
【課題を解決するための手段】
［１項］
上記課題を解決するための本発明の技術的手段は、
『前記夫々の略正五角形プレートと該略プレートの隣り合う二辺に夫々接合される２枚の略正六角形プレートとから成る３枚のプレートの境界部近傍が連結機構によって結合されており、
前記連結機構は、
略正五角形プレートにおける前記境界部に対応するコーナ部から外側に張り出した座板と、
前記座板に対して前記外表面側から重ねられる２枚の略正六角形プレート相互の境界部から前記座板に螺入される固定ビスとから構成され、
前記２枚の略正六角形プレートの夫々が前記螺入された固定ビスの頭部と前記座板で挟まれる』ことである。
【０００７】
上記技術的手段は次のように作用する。
本発明の球状構造体を組み立てるときは、先ず、各略正五角形プレートのコーナ部から外側に張り出した座板に対して２枚の略正六角形プレートのコーナ部を外表面側から重ねる。
【０００８】
この状態で、上記２枚の略正六角形プレート相互の境界部から座板に対して固定ビスを螺入して締め付けると、該固定ビスの頭部と座板によって、前記２枚の略正六角形プレートが挟まれた状態になる。そして、この連結状態では、互いに隣接する三枚のプレート（１枚の略正五角形プレートと２枚の正六角形プレート）の境界部に対して一本の固定ビスが螺入された状態になる。
【０００９】
この作業を、仮想の球表面に沿って配列する略正五角形プレートの全コーナ部に対して実行すると、本発明の球状構造体が完成する。
【００１０】
［２項］
前記１項に於いて、
『前記各略正六角形プレートの各コーナ部の外側には、前記固定ビスの軸部に係合した状態で該固定ビスの頭部の裏側に侵入状態になるフック部が張り出している』ものでは、締め付け状態にある固定ビスの軸部に前記フック部が係合するから、各プレート相互の結合強度が向上する。
【００１１】
［３項］
前述した課題を解決する為の他の技術的手段として、
『前記夫々の略正五角形プレートの外周の各コーナ部から外側に張り出した座板と、
前記夫々の略正六角形プレートの外周の１２０度間隔で位置する３つのコーナ部から外側に張り出し且つ前記座板に重ね合わされる結合片と、
前記座板とこれに重ね合わされた前記結合片を相互に固定する固定ビスとを具備する』ものを採用することができる。
【００１２】
このものでは、略正六角形プレートの３つのコーナ部から張り出した結合片と略正五角形プレートの各コーナ部から張り出した座板を相互に重ね合わせた状態で固定ビスにて固定すると、隣接する略正五角形プレートと正六角形プレートが相互に連結される。そして、この連結状態では、互いに隣接する三枚のプレート（１枚の略正五角形プレートと２枚の略正六角形プレート）の境界部に対して一本の固定ビスが配設された状態になる。そして、この固定作業を全ての結合片及び座板に対して行えば、球状構造体が完成する。
【００１３】
［４項］
前記１項〜３項に於いて、
『前記略正五角形プレートとこれに隣接する略正六角形プレートの接触部又は、互に隣接する略正六角形プレート相互の接触部には、これら隣接するプレートの相対位置を適正に位置決めする為に嵌合する凹部と凸部が形成されている』ものでは、位置決め用の凹部と凸部を嵌合させると、各プレート相互が適正な位置関係に位置決めされる。よって、球状構造体の組み立て作業が円滑に行える。
【００１４】
［５項］
前記１項〜４項に於いて、
『前記略正五角形プレートの外周には、前記略正六角形プレートの外周に対して裏面側から当接する支持フランジが突出している』ものでは、前記支持フランジによって略正六角形プレートが裏面側から受け止められるから、各略正五角形プレートと略正六角形プレートの相対位置が安定する。
【００１５】
［６項］
前記１項〜５項に於いて、
『前記各略正五角形プレート又は各略正六角形プレートの少なくとも１枚は透明であり、
前記透明の略正五角形プレート又は略正六角形プレートの裏面に図形，文字等の表示が施される』ものでは、略正五角形プレート又は略正六角形プレートの裏面の表示が前記透明部を介して外部から透視できると共に、略正五角形プレートや略正六角形プレートの裏面に図形や文字等が表示されているから、該表示の経年的な劣化を抑制することができる。
【００１６】
［７項］
前記６項の物において、
『裏面に前記表示が施される前記透明の略正五角形プレート又は略正六角形プレートは、前記表示が施される面が平面に形成され、該平面に対応する外表面が外側に凸となった球面に形成されている』ものでは、前記平面と前記球面との間の肉厚部が凸レンズ状になる。従って、前記肉厚部のレンズ効果により、前記平面上の表示が拡大されて外部から透視できる。
【００１７】
【発明の効果】
本発明は、上記構成であるから次の特有の効果を有する。
略正五角形プレートと該プレートの隣接する２辺の夫々に接合される２枚の略正六角形プレートから成る３枚のプレートの境界部に対して一本の固定ビスを配設するだけで、これらを連結することができる。従って、前記境界部に対して前記３枚のプレートと同数（三本）の固定ビスを螺入する必要がある既述従来のものに比べ、固定ビスの必要数を少なくすることができる。又、既述従来のもののように、前記固定ビスを螺入する為の独立した裏板も不要となるから、部品点数を少なくすることができる。
【００１８】
２項のものでは、固定ビスの軸部に前記フック部が係合するから、各プレート相互の結合強度が向上する。
【００１９】
４項のものでは、位置決め用の凹部と凸部の嵌合により、各プレート相互が適正な位置関係に位置決めされ固定されるから、球状構造体の組み立て作業が円滑に行える。
【００２０】
５項のものでは、支持フランジによって略正六角形プレートが裏面側から受け止められるから、各略正五角形プレートと略正六角形プレートの相対位置が安定する。
【００２１】
６項のものでは、略正五角形プレートや略正六角形プレートの裏面に図形や文字等が表示されるから、該表示の経年的な劣化を抑制することができる。
【００２２】
７項のものでは、既述したように、レンズ効果によって表示が拡大されるから、該表示が視覚認識し易くなる。
【００２３】
【発明の実施の形態】
次に、上記した本発明の実施の形態を図面に従って詳述する。
【００２４】
Ａ．第１実施形態
先ず、既述１項及び２項の発明に対応する第１実施形態を説明する。
本実施の形態にかかる球状構造体は、図１に現れる１２枚の略正五角形プレート（１１）と２０枚の略正六角形プレート（１２）を、仮想の球表面に沿って配列することによってハニカム模様の外表面に仕上げられたものである。
【００２５】
［略正五角形プレート（１１）］
略正五角形プレート（１１）は、本実施の形態では透明合成樹脂で形成されていると共に、その裏面には、表示用のシール（２１）が貼着されるようになっている。
【００２６】
図３に示すように、前記略正五角形プレート（１１）は球状構造体の中心に曲率中心を備えた湾曲面たる外表面（１１０）を有していると共に、前記シール（２１）が貼着される裏面（１１１）は平面状に形成されている。これにより、上記裏面（１１１）と外表面（１１０）の間の肉厚部が凸レンズ状になり、そのレンズ効果によって、シール（２１）の表示を拡大して見ることができる。
【００２７】
図１，図５に示すように、略正五角形プレート（１１）の外周部には支持フランジ（２３）（２３）が一体成形により形成されていると共に、略正五角形プレート（１１）のコーナ部の外側には上記支持フランジ（２３）（２３）と一体的に成形された座板（２５）（２５）が張り出している。
【００２８】
又、各座板（２５）（２５）には、略正五角形状に形成された主体部（１０）の外周の各辺（２６）（２６）の延長線が交差する点に中心を持つ透孔（２８）（２８）が形成されており、該透孔（２８）（２８）には後述する固定ビス（１６）（１６）が螺入されるようになっている。又、主体部（１０）の各コーナ部には、後述する固定ビス（１６）の頭部との干渉を回避する為の円弧状の面取り部（２９）（２９）が形成されている。
【００２９】
図１，４，５に示すように、上記主体部（１０）の外周の各辺（２６）（２６）には、略正五角形プレート（１１）と略正六角形プレート（１２）を結合する際の位置決め機能を発揮する凸部（３１）（３１）が各別に突設されている。
【００３０】
［略正六角形プレート（１２）］
略正六角形プレート（１２）は、本実施の形態では透明合成樹脂で構成されていると共に、図１，６に示すように、各コーナ部には固定ビス（１６）の頭部との干渉を回避する為の円弧状の面取り部（１９）（１９）が形成されている。そして、この面取り部（１９）（１９）の裏面側に連続する段落ち部（１８）（１８）には、円弧状のフック部（１３）（１３）が連設されており、該フック部（１３）（１３）が前記固定ビス（１６）の軸部に係合するようになっている。
【００３１】
図３に示すように、前記略正六角形プレート（１２）は球状構造体の中心に曲率中心を備えた湾曲面たる外表面（１２０）を有していると共に、その裏面（１２１）は平面状に形成されている。従って、略正六角形プレート（１２）の裏面（１２）に文字や図形等の表示を施すときは、これが外部から拡大して見える。
【００３２】
図４に示すように、略正六角形プレート（１２）の外周の各側辺部には、既述略正五角形プレート（１１）の凸部（３１）に外嵌する位置決め用の凹部（１７）が形成されており、該凹部（１７）と凸部（３１）の嵌合によって、略正五角形プレート（１１）と略正六角形プレート（１２）が適正な相対関係に位置決めされるようになっている。
【００３３】
［組み立て作業］
次に、上記略正五角形プレート（１１）と略正六角形プレート（１２）を用いてサッカーボール状の球状構造体を組み立てる作業の実際を説明する。
先ず、１２枚の略正五角形プレート（１１）と２０枚の略正六角形プレート（１２）を準備する。
【００３４】
略正五角形プレート（１１）の主体部（１０）外周の各辺（２６）（２６）に略正六角形プレート（１２）の外周の各辺を平行に重ねる。このとき、略正六角形プレート（１２）の側辺の表面に形成された凹部（１７）に対してこれに対応する略正五角形プレート（１１）側の凸部（３１）を嵌入させる（図２参照）。次に、略正六角形プレート（１２）のコーナ部に形成されたフック部（１３）（１３）とこれに続く段落ち部（１８）（１８）で包囲される空間を介して、略正五角形プレート（１１）のコーナ部の座板（２５）に対して固定ビス（１６）（本実施の形態ではタッピングビスが採用されている）を螺入する。
【００３５】
すると、図３に示すように、略正五角形プレート（１１）のコーナ部に張り出した座板（２５）と固定ビス（１６）の頭部（１６０）によって２枚の略正六角形プレート（１２）（１２）のコーナ部たる段落ち部（１８）（１８）が挟持される。即ち、固定ビス（１６）の頭部（１６０）と座板（２５）によって、２枚の略正六角形プレート（１２）（１２）が挟まれる。又、固定ビス（１６）の軸部（１６１）にフック部（１３）（１３）が係合し、これにより、略正五角形プレート（１１）の隣り合うニ辺（２６）（２６）に略正六角形プレート（１２）（１２）が結合される。尚、本実施の形態では、固定ビス（１６）の頭部（１６０）の高さに比べて前記段落ち部（１８）（１８）の深さ寸法が大きく設定されている。これにより、固定ビス（１６）の頭部（１６０）が段落ち部（１８）（１８）内に進入状態になったときには前記頭部（１６０）が各プレート（１１）（１２）の外表面より突出しないようにしている。
【００３６】
この作業を、全てのプレート（１１）（１２）について実行すると、ハニカム模様の外表面を有するサッカーボール状の球状構造体が完成する。
そして、この組み立て作業時には、略正五角形プレート（１１）の各辺（２６）（２６）には略正六角形プレート（１２）の一辺部が接合される一方、前記略正六角形プレート（１２）の各辺（３５）（３５）には他の略正六角形プレート（１２）と略正五角形プレート（１１）が周方向に交互に並ぶ態様で接合され、これにより、これら複数の略正五角形プレート（１１）と略正六角形プレート（１２）が仮想の球表面を覆うように連続的に配列された状態になる。
【００３７】
このものでは、互いに隣接する三枚のプレート（１１）（１２）（１２）の境界部に一本の固定ビス（１６）を螺入するだけで、これらを連結することができる。従って、前記境界部に対してプレート（１１）（１２）の枚数と同数（三本）の固定ビス（１６）を螺入する必要がある既述従来のものに比べ、固定ビス（１６）（１６）の必要数を少なくすることができ、部品点数を少なくすることができる。
【００３８】
又、この組み立て完了状態にある各略正六角形プレート（１２）（１２）の外周の各辺（３５）（３５）の裏面側が支持フランジ（２３）（２３）によって受け止められるから、各略正五角形プレート（１１）と略正六角形プレート（１２）の位置関係が安定する。
【００３９】
尚、本実施の形態では、略正五角形プレート（１１）の各コーナ部から外側に張り出した座板（２５）と、該座板（２５）に重ねられる２枚の略正六角形プレート（１２）（１２）相互の境界部から座板（２５）に螺入される固定ビス（１６）の組合せが、既述発明特定事項たる連結機構に対応している。
【００４０】
Ｂ．第２実施形態
次に、既述した３項の発明に対応する第２実施形態を説明する。
このものは、図７に示す構成の略正六角形プレート（１２）を使用する点を除いて、既述第１実施形態と同様に構成される。
【００４１】
略正六角形プレート（１２）は、本実施の形態では透明合成樹脂で構成されていると共に、図７に示すように、各コーナ部には固定ビス（１６）の頭部との干渉を回避する為の円弧状面取り部（４１）（４１）が形成されている。そして、前記コーナ部のうち、１２０度間隔で位置する３つのコーナ部には、図５に現れる略正五角形プレート（１１）の座板（２５）（２５）に重ねられるリング状の結合片（４２）（４２）が連設されている。そして、この結合片（４２）の裏面は、図８に示すように、略正六角形プレート（１２）の裏面と一致しており、これにより、略正六角形プレート（１２）の表面と結合片（４２）の表面との間に段落ち部（４４）が形成されている。そして、この段落ち部（４４）に固定ビス（１６）の頭部が収容されるようになっている。
【００４２】
図８に示すように、前記略正六角形プレート（１２）は球状構造体の中心に曲率中心を備えた湾曲面たる外表面（１２０）を有していると共に、その裏面（１２１）は平面状に形成されている。従って、略正六角形プレート（１２）の裏面（１２）に文字や図形等の表示を施すときは、これが既述レンズ効果によって外部から拡大して見える。
【００４３】
図７に示すように、略正六角形プレート（１２）の外周の各側辺部には、既述略正五角形プレート（１１）の凸部（３１）に外嵌する位置決め用の凹部（１７）が形成されており、該凹部（１７）と凸部（３１）の嵌合によって、略正五角形プレート（１１）と略正六角形プレート（１２）が適正な相対関係に位置決めされるようになっている。
【００４４】
［組み立て作業］
次に、上記略正五角形プレート（１１）と略正六角形プレート（１２）を用いてサッカーボール状の球状構造体を組み立てる作業の実際を説明する。
【００４５】
先ず、１２枚の略正五角形プレート（１１）と２０枚の略正六角形プレート（１２）を準備する。
略正五角形プレート（１１）の主体部（１０）外周の各辺（２６）（２６）に略正六角形プレート（１２）の外周の各辺を重ねる。
【００４６】
このとき、図９に示すように、略正五角形プレート（１１）の隣接する２辺に結合される一方の第１の略正六角形プレート（１２ａ）に属する結合片（４２ａ）を前記略正五角形プレート（１１）の特定のコーナ部の座板（２５ａ）に固定ビス（１６）で固定する。一方、上記第１の略正六角形プレート（１２ａ）に隣接する第２の略正六角形プレート（１２ｂ）に属する結合片（４２ｂ）を前記座板（２５ａ）に隣接する他の座板（２５ｂ）に重ね合わせた状態で固定ビス（１６）で固定する。このように、略正五角形プレート（１１）の５個のコーナ部の各座板（２５）に対し、該プレート（１１）を包囲する５枚の略正六角形プレート（１２）（１２）の各結合片（４２）を各別に重ね合わせ、この状態で各結合片（４２）と座板（２５）を固定ビス（１６）（本実施の形態ではタッピングビスが採用されている）で各別に固定する。そして、この作業を１２枚の略正五角形プレート（１１）と２０枚の略正六角形プレート（１２）の全てについて実行すると、ハニカム模様の外表面を有するサッカーボール状の球状構造体が完成する。
【００４７】
このものでは、略正五角形プレート（１０）の各コーナ部に対して一本の固定ビス（１６）を配設するだけでよいから、既述従来のものに比べ、固定ビス（１６）（１６）の必要数を少なくすることができ、部品点数を少なくすることができる。
【００４８】
Ｃ．その他
▲１▼上記各実施形態では、略正五角形プレート（１１）の主体部（１０）の側面に凸部（３１）を突設させる一方、これに外嵌する凹部（１７）を略正六角形プレート（１２）の側面に形成したが、これとは逆に、主体部（１０）の側面に凹部（１７）を形成する一方、凸部（３１）を略正六角形プレート（１２）の側面に突設させてもよい。又、支持フランジ（２３）の表面に凹部（１７）を形成する一方、これに嵌入する上記凸部（３１）を略正六角形プレート（１２）の裏面に突設してもよい。
【００４９】
又、図７に示す略正六角形プレート（１２）のコーナ部に配設されたリング状の結合片（４２）又は、図６に示す略正六角形プレート（１２）のコーナ部に配設された円弧状のフック部（１３）（１３）の裏面に、固定ビス（１６）の軸部を包囲する環状リブ（ａ）（図１０参照）を突設させる一方、該環状リブ（ｂ）が嵌合する環状凹部（ｂ）を略正五角形プレート（１１）の座板（２５）に形成してもよい。このようにすると、上記環状リブ（ａ）と環状凹部（ｂ）の係合により、略正五角形プレート（１１）と略正六角形プレート（１２）が適正な位置関係に相互に位置決めされる。
【００５０】
▲２▼上記実施の形態では、全てのプレート（１１）（１２）を透明体としたが、全てのプレート（１１）（１２）を不透明にしてもよく、又、一部のプレート（１１）（１２）のみを透明にしてもよい。
【００５１】
▲３▼上記第１実施形態では、段落ち部（１８）（１８）にフック部（１３）（１３）を連設したが、必ずしもフック部（１３）（１３）を段落ち部（１８）（１８）に連設する必要はない。固定ビス（１６）を締め付けたときには該固定ビス（１６）の頭部で段落ち部（１８）が座板（２５）上に押圧されてプレート（１１）（１２）が結合されると共に、この状態で球状構造体が完成した後には、各プレート（１１）（１２）の全てのコーナ部に固定ビス（１６）（１６）が位置した状態になり、これにより、該固定ビス（１６）（１６）によって各プレート（１１）（１２）が包囲されて定位置に安定するからである。
【図面の簡単な説明】
【図１】本発明の実施の形態に係る球状構造体の組み立てに使用されるプレート（１１）（１２）の斜視図
【図２】上記プレート（１１）（１２）の各コーナ部が集合した部位の拡大図
【図３】固定ビス（１６）の螺入部の断面図
【図４】凹部（１７）と凸部（３１）の関係説明図
【図５】略正五角形プレート（１１）の平面図
【図６】略正六角形プレート（１２）の平面図
【図７】第２実施形態に使用される略正六角形プレート（１２）の平面図
【図８】第２実施形態に於ける固定ビス（１６）の螺入部の断面図
【図９】第２実施形態に於ける略正六角形プレート（１２）と略正五角形プレート（１１）の配列状態を説明する平面図
【図１０】固定ビス（１６）の配設部の変形例の説明図
【図１１】従来例を説明する要部の平面図
【図１２】従来例を説明する要部の断面図
【符号の説明】
（１１）・・・略正五角形プレート
（１２）・・・略正六角形プレート
（１３）・・・フック部
（１６）・・・固定ビス
（２５）・・・座板
（４２）・・・結合片
【図１】
2004093659.tif 000003
【図２】
2004093659.tif 000004
【図３】
2004093659.tif 000005
【図４】
2004093659.tif 000006
【図５】
2004093659.tif 000007
【図６】
2004093659.tif 000008
【図７】
2004093659.tif 000009
【図８】
2004093659.tif 000010
【図９】
2004093659.tif 000011
【図１０】
2004093659.tif 000012
【図１１】
2004093659.tif 000013
【図１２】
2004093659.tif 000014